(57)【要約】【課題】タッチパネルを内蔵した複数の表示装置によりマルチモニタを構成した場合であっても容易にオブジェクトを移動できる表示装置、表示システム、及び表示方法を提供する。【解決手段】本発明の一態様に係る表示装置は、タッチパネルを内蔵する表示装置であって、前記タッチパネルに対して行われるタッチ操作の内容に基づいて、前記表示装置に表示されるオブジェクトがタッチされた数を示すタッチ数を検出する検出部と、前記検出部が検出した前記タッチ数に基づいて、移動対象のオブジェクトの移動先である移動先表示装置を決定する決定部と、を備える。【選択図】図８
2018163575.tif 000002
【特許請求の範囲】
【請求項１】
タッチパネルを内蔵する表示装置であって、
前記タッチパネルに対して行われるタッチ操作の内容に基づいて、前記表示装置に表示されるオブジェクトがタッチされた数を示すタッチ数を検出する検出部と、
前記検出部が検出した前記タッチ数に基づいて、移動対象のオブジェクトの移動先である移動先表示装置を決定する決定部と、
を備える表示装置。
【請求項２】
前記タッチ数は、同時にタッチされた箇所の数である、
請求項１に記載の表示装置。
【請求項３】
前記決定部は、前記オブジェクトがタッチされた状態が継続した時間に応じて、前記移動先表示装置に前記オブジェクトを移動するか否かを決定する、
請求項１又は２に記載の表示装置。
【請求項４】
前記決定部は、前記移動先表示装置が存在するか否かを判定した結果に基づいて、前記移動先表示装置に前記オブジェクトを移動するか否かを決定する、
請求項１から請求項３のいずれか一項に記載の表示装置。
【請求項５】
前記表示装置は、前記表示装置を識別する識別情報を記憶し、
前記決定部は、前記タッチ数に対応する前記識別情報に基づいて、前記移動先表示装置を決定する、
請求項１から請求項４のいずれか一項に記載の表示装置。
【請求項６】
請求項１から請求項５のいずれか一項に記載の表示装置が複数台配置されて構成されるマルチモニタと、
前記マルチモニタを構成する複数の表示装置それぞれに画像を表示させる表示制御装置と、
を備え、
前記マルチモニタを構成する複数の表示装置のうち第１表示装置の前記決定部は、前記移動先表示装置である前記マルチモニタを構成する複数の表示装置のうち前記第1表示装置と異なる第２表示装置に前記オブジェクトを移動すると決定した場合、前記移動先表示装置である前記第２表示装置の識別情報を、前記表示制御装置に出力し、
前記表示制御装置は、前記第１表示装置の前記決定部からの前記第２表示装置の識別情報に基づいて、前記第２表示装置に前記オブジェクトを表示させる
表示システム。
【請求項７】
前記マルチモニタは、３台以上の表示装置が行列状に配置されて構成される、
請求項６に記載の表示システム。
【請求項８】
タッチパネルを内蔵する表示装置の表示方法であって、
前記タッチパネルに対して行われるタッチ操作の内容に基づいて、前記表示装置に表示されるオブジェクトがタッチされた数を示すタッチ数を検出する工程と、
前記タッチ数に基づいて、移動対象のオブジェクトの移動先である移動先表示装置を決定する工程と、
を含む表示方法。
【発明の詳細な説明】
【技術分野】
【０００１】
本発明は、表示装置、表示システム、及び表示方法に関する。
【背景技術】
【０００２】
タッチパネルを内蔵した表示装置では、例えば特許文献１に示されるように、画面上に表示したアイコン等のオブジェクトをドラッグ操作により移動させることができ、表示装置に対する操作をユーザが直感で行うことができる。ドラッグ操作は、ユーザがオブジェクトを指やペンでタッチしながら、所望の移動先までスライドさせていくような操作である。また、タッチパネルを内蔵した複数の表示装置を二次元配列させ、マルチモニタの表示システムを構築することが行われている。このようなマルチモニタの表示システムでは、複数の表示装置の画面を組み合わせて一画面を構成することで、大画面映像を表示することができる。
【先行技術文献】
【特許文献】
【０００３】
【特許文献１】特開２０１１−２０９８２２号公報
【発明の概要】
【発明が解決しようとする課題】
【０００４】
タッチパネルを内蔵した複数台の表示装置でマルチモニタの表示システムを構築した際にも、このようなドラッグ操作が行われることが想定される。図９は、マルチモニタの構成で表示装置の境界を跨ぐドラッグ操作を行う場合のイメージ図である。図９の例では、表示装置２１０−１から２１０−９により縦３列横３列のマルチモニタ２３０が構成されている。この場合において、ユーザが、指２５１でドラッグ操作により、表示装置２１０−９に表示されているアイコンなどのオブジェクト２５０を表示装置２１０−１に移動させようとすると、ユーザは、複数の表示装置（表示装置２１０−９、２１０−５、および２１０−１）を跨いで、ドラッグ操作を行う必要がある。このような、複数の表示装置をまたぐ長い距離を、ユーザが指２５１でオブジェクト２５０をタッチし続けた状態を維持しながら移動させることは難しい。
【０００５】
上述の課題を鑑み、本発明は、タッチパネルを内蔵した複数の表示装置によりマルチモニタを構成した場合であっても容易にオブジェクトを移動することができる表示装置、表示システム、及び表示方法を提供することを目的とする。
【課題を解決するための手段】
【０００６】
本発明の一態様に係る表示装置は、タッチパネルを内蔵する表示装置であって、前記タッチパネルに対して行われるタッチ操作の内容に基づいて、前記表示装置に表示されるオブジェクトがタッチされた数を示すタッチ数を検出する検出部と、前記検出部が検出した前記タッチ数に基づいて、移動対象のオブジェクトの移動先である移動先表示装置を決定する決定部と、を備える。
【０００７】
本発明の一態様に係る表示システムは、上記の表示装置が複数台配置されて構成されるマルチモニタと、前記マルチモニタを構成する複数の表示装置それぞれに画像を表示させる表示制御装置と、を備え、前記マルチモニタを構成する複数の表示装置のうち第１表示装置の前記決定部は、前記移動先表示装置である前記マルチモニタを構成する複数の表示装置のうち前記第1表示装置と異なる第２表示装置に前記オブジェクトを移動すると決定した場合、前記移動先表示装置の識別情報を、前記表示制御装置に出力し、前記表示制御装置は、前記決定部からの識別情報に基づいて、前記第２表示装置に前記オブジェクトを表示させる。
【０００８】
本発明の一態様に係る表示方法は、タッチパネルを内蔵する表示装置の表示方法であって、前記タッチパネルに対して行われるタッチ操作の内容に基づいて、前記表示装置に表示されるオブジェクトがタッチされた数を示すタッチ数を検出する工程と、前記タッチ数に基づいて、移動対象のオブジェクトの移動先である移動先表示装置を決定する工程と、を含む。
【発明の効果】
【０００９】
本発明によれば、タッチパネルを内蔵した複数の表示装置によりマルチモニタを構成した場合であっても容易にオブジェクトを移動することができる。
【図面の簡単な説明】
【００１０】
【図１】第１の実施形態に係る表示システム１の構成を示す構成図である。
【図２】第１の実施形態における表示装置１０の構成を示す構成図である。
【図３】第１の実施形態における記憶部１７の構成を示す構成図である。
【図４】第１の実施形態における記憶部１７に記憶される情報の一例を示す図である。
【図５】第１の実施形態における表示制御装置２０の構成を示す構成図である。
【図６】第１の実施形態において複数の表示装置１０間でオブジェクトを移動させる動作を説明するための図である。
【図７】第１の実施形態において複数の表示装置１０間でオブジェクトを移動させる処理の流れを示すシーケンス図である。
【図８】第２の実施形態における表示装置１１０の構成を示す構成図である。
【図９】従来のマルチモニタ２３０の構成で表示装置２１０の境界を跨ぐドラッグ操作を行う場合のイメージ図である。
【発明を実施するための形態】
【００１１】
以下、本発明の実施の形態について図面を参照しながら説明する。
【００１２】
（第１の実施形態）
まず、第１の実施形態について図面を参照しながら説明する。図１は、第１の実施形態に係る表示システム１の構成を示す構成図である。図１に示すように、表示システム１は、複数の表示装置１０−１〜１０−９と、表示制御装置２０とを備える。以下の説明において、表示装置１０−１〜１０−９を区別しない場合には、単に「表示装置１０」という。
表示装置１０は、タッチパネルが内蔵された表示装置である。図１の例では、９台の表示装置１０−１〜１０−９が縦３列横３列に二次元配列され、マルチモニタ３０が構築されている。つまり、マルチモニタ３０は、表示装置１０が複数台配置されて構成される。なお、この例では、９台の表示装置１０−１〜１０−９が縦３列横３列に二次元配列されているが、表示装置の数や配置の仕方については、これに限定されるものではない。
表示装置１０は、表示装置１０に対しユーザ等によるタッチ操作がなされた場合に、操作の内容を示す操作信号を、表示制御装置２０に出力する。
【００１３】
表示制御装置２０は、表示装置１０に画像信号を出力する。表示制御装置２０は、表示装置１０からの操作信号に基づいて、ある表示装置１０に表示させていた画像を削除した画像信号を出力したり、その画像を追加した画像信号を別の表示装置１０に出力したりする。つまり、表示制御装置２０は、表示装置１０からの操作信号に基づいて、ある表示装置１０から別の表示装置１０に画像を移動させる。表示制御装置２０は、例えば、ＰＣ（Personal Computer）である。例えば、表示制御装置２０は、１画面の画像を縦３列横３列の領域に分割し、領域分割されたそれぞれの画像信号を、分割された領域に対応する表示装置１０−１〜１０−９にそれぞれ出力する。これにより、表示制御装置２０は、１つの大きな画像をマルチモニタ３０に表示させる。
【００１４】
図２は、表示装置１０の構成を示す構成図である。図２に示すように、表示装置１０−１と１０−２それぞれの構成は、同一の構成である。また、図２の記載には省略されているが、表示装置１０−３〜１０−９それぞれの構成は、表示装置１０−１、および表示装置１０−２と同一の構成である。このため、以下では、表示装置１０−１の構成についてのみ説明し、他の表示装置の構成については説明を省略する。また、表示装置１０−１の各構成要素を、対応する他の表示装置１０の各構成要素と区別しない場合には、符号の「−１」の部分の記載を省略する。表示装置１０は、タッチパネル１１と、検出部１２と、画像処理部１３と、画像表示部１４と、通信部１６と、記憶部１７と、制御部１８とを備える。
【００１５】
タッチパネル１１は、画像表示部１４を構成する液晶ディスプレイの表示面に積層配置され、ユーザの指等による押圧を検出する。タッチパネル１１としては、マトリックススイッチ方式、抵抗膜方式、表面弾性波方式、赤外線方式、電磁誘導方式、静電容量方式等、種々のものを用いることができる。タッチパネル１１は、押圧が検出された箇所の位置座標を検出部１２に出力する。
【００１６】
検出部１２は、タッチパネル１１からの検出信号に基づいて、押圧が検出された位置座標に表示されているオブジェクト、およびそのオブジェクトがタッチされている数（タッチ数）を検出する。ここでいうオブジェクトは、アイコン、図形、写真等、ドラッグ操作により移動させることが可能な画像（画像の一部を含む）である。また、タッチ数は、オブジェクトが表示されている領域内において、押圧が検出された箇所の数である。検出部１２は、検出したタッチ数を制御部１８に出力する。
【００１７】
また、検出部１２は、タッチパネル１１からの検出信号に基づいて、押圧が検出されたオブジェクトに関する情報を含む操作信号を、表示制御装置２０に通知する。オブジェクトに関する情報には、例えばオブジェクトの識別情報や、画像情報、あるいは表示装置１０におけるオブジェクトの表示位置座標などが含まれる。
【００１８】
画像処理部１３は、表示制御装置２０からの画像信号に対して、画質調整処理等、各種の画像処理を行う。画像処理部１３は、画像処理を行った画像信号を、画像表示部１４に出力する。画像表示部１４からの画像信号に基づく画像を表示画面に表示する。画像表示部１４は、例えば液晶ディスプレイである。
【００１９】
通信部１６は、制御部１８からの制御に基づいて、他の表示装置１０の通信部１６と相互に通信する。通信部１６は、他の表示装置１０に対し、何らかの情報を要求するコマンド（要求コマンド）を送信する。また、通信部１６は、他の表示装置１０から、当該要求コマンドに対する応答を受信する。通信部１６が行う通信の通信方式は、例えば、Ｗｉ−Ｆｉ網を介した無線通信方式で行われる。通信セルラー網などの無線通信網、赤外線やＢｌｕｅｔｏｏｔｈ（登録商標）等の近距離無線通信網を介して、複数の表示装置１０の間における通信が行われてもよい。また、通信部１６は、有線により通信する手段を備えていてもよい。例えば、ＬＡＮ（Local Area Network）などを介した有線通信網を介して行われてもよい。通信部１６は、他の表示装置１０から受信した応答の内容を、制御部１８に出力する。
【００２０】
記憶部１７は、例えば、ＨＤＤ（Hard Disc Drive）、フラッシュメモリ、ＥＥＰＲＯＭ（Electrically Erasable Programmable Read Only Memory）、またはＲＡＭ（Random Access Memory）などにより実現される。
記憶部１７について、図３、および図４を用いて説明する。図３は、記憶部１７の構成を示す構成図である。図４は、記憶部１７が記憶する情報の一例を示す図である。
図３に示すように、記憶部１７は、モニタＩＤ記憶部１７１と、移動先対応情報記憶部１７２と、移動先判定情報記憶部１７３とを備える。
【００２１】
図４（ａ）に示すように、モニタＩＤ記憶部１７１は、自身の表示装置１０のモニタＩＤを記憶する。モニタＩＤは、マルチモニタ３０を構成する複数の表示装置１０のそれぞれを一意に識別する情報（識別情報）の一例である。モニタＩＤは、例えば、マルチモニタ３０が複数の表示装置１０により構成されたときに、そのマルチモニタ３０を構成する表示装置１０の数に基づいて、表示制御装置２０により複数の表示装置１０それぞれに割り当てられる。表示制御装置２０は、割り当てたモニタＩＤを、それぞれの表示装置１０の制御部１８に通知する。それぞれの表示装置１０の制御部１８に通知されたモニタＩＤは、制御部１８により、モニタＩＤ記憶部１７１に記憶される。図４（ａ）の例では、モニタＩＤに１〜９の数値が割り当てられているが、これに限定されることはない。モニタＩＤは、複数の表示装置１０のそれぞれを一意に識別できるものであればよく、例えば、表示装置１０の製造時に付されるシリアル番号が付されてもよいし、マルチモニタ３０を構成する表示装置の二次元配列に応じた位置関係を示す情報であってもよい。二次元配列に応じた位置関係とは、例えば、横列をｘ軸、縦列をｙ軸としたｘｙ座標である。図１のマルチモニタ３０の構成であれば、二次元配列に応じた位置関係に示すモニタＩＤは、表示装置１０−１のモニタＩＤが（１、３）、表示装置１０−９のモニタＩＤが（３、１）、表示装置１０−３のモニタＩＤが（３、３）となる。
【００２２】
図４（ｂ）に示すように、移動先対応情報記憶部１７２は、タッチ数、および当該タッチ数に対応するモニタＩＤを記憶する。移動先対応情報記憶部１７２は、タッチ数に検出部１２が検出するタッチ数に応じた数を記憶する。移動先対応情報記憶部１７２は、モニタＩＤに、タッチ数に対応するモニタＩＤを記憶する。図４（ｂ）の例では、タッチ数１〜９に対し、それぞれのタッチ数にモニタＩＤ１〜９が対応しているが、これに限定されることはない。タッチ数１〜９に対しモニタＩＤ９〜１を対応させてもよいし、タッチ数の数値とは無関係なモニタＩＤを対応させてもよい。ただし、移動先対応情報記憶部１７２には、ユーザがタッチ操作により移動先表示装置を指定する際に、タッチ数により直感的に移動先表示装置を指定できるような、タッチ数に対応するモニタＩＤが記憶されることが望ましい。
【００２３】
図４（ｃ）に示すように、移動先判定情報記憶部１７３は、制御部１８が移動先表示装置にオブジェクトを移動させるか否かを決定するための閾値（図４（ｃ）の例では「閾値時間」と記載）を記憶する。図４（ｃ）の例では、閾値として時間（図４（ｃ）の例では、３［秒］）を記憶する。
【００２４】
図２に戻り、制御部１８は、例えばＣＰＵ（Central Processing Unit）などのプロセッサがプログラムメモリに格納されたプログラムを実行することにより実現される。また、これらの機能部のうち一部または全部は、ＬＳＩ（Large Scale Integration）、ＡＳＩＣ（Application Specific Integrated Circuit）、またはＦＰＧＡ（Field-Programmable Gate Array）などのハードウェアにより実現されてもよい。制御部１８は、表示装置１０の各構成要素を制御する。
制御部１８は、検出部１２からのタッチ数に基づいて、移動対象のオブジェクトの移動先である移動先表示装置を決定する。具体的には、制御部１８は、モニタＩＤ記憶部１７１を参照し、検出部１２からタッチ数に対応するモニタＩＤを取得する。制御部１８は、取得したモニタＩＤにより識別される表示装置１０を、移動先表示装置と決定する。このように、制御部１８は、移動先表示装置を決定する機能部として動作する。つまり、制御部１８は、「決定部」の一例である。
【００２５】
また、制御部１８は、オブジェクトがタッチされた状態が継続した時間に応じて、移動先表示装置にオブジェクトを移動するか否かを決定する。具体的には、制御部１８は、検出部１２からのタッチ数を示す信号が入力されると、タイマ（不図示）により時間の計測を開始する。制御部１８は、検出部１２からのタッチ数を示す信号が変化したら当該タイマによる時間の計測を終了する。このようにして、制御部１８は、検出部１２からのタッチ数を示す信号の出力が継続した時間（継続時間）を計測する。制御部１８は、継続時間が、移動先判定情報記憶部１７３に記憶された移動判定閾値時間を超えた場合、移動先表示装置にオブジェクトを移動すると決定する。
【００２６】
また、制御部１８は、移動先表示装置を決定した場合、その決定した移動先表示装置が存在するか否かを判定する。具体的には、制御部１８は、移動先表示装置のモニタＩＤ（以下、移動先モニタＩＤ）をもつ表示装置１０が、マルチモニタ３０を構成する複数の表示装置１０の中に存在しているか否かを判定する。より具体的には、制御部１８は、通信部１６を介して、マルチモニタ３０を構成する他の表示装置１０に対し、モニタＩＤの通知を要求するコマンド（要求コマンド）を送信する。制御部１８は、当該要求コマンドに対する応答を受信し、その応答に含まれる当該他の表示装置１０のモニタＩＤを取得する。制御部１８は、マルチモニタ３０を構成する他の表示装置１０の中に、移動先モニタＩＤと同一のモニタＩＤがある場合、移動先表示装置が存在すると判定する。そして、制御部１８は、移動先表示装置が存在する場合、移動先表示装置にオブジェクトを移動すると決定する。一方で、制御部１８は、移動先表示装置が存在しない場合、移動先表示装置にオブジェクトを移動しないと決定する。このように、制御部１８は、移動先表示装置が存在するか否かを判定した結果に基づいて、移動先表示装置にオブジェクトを移動するか否かを決定する。
【００２７】
また、制御部１８は、移動先表示装置にオブジェクトを移動すると決定した場合、移動先表示装置のモニタＩＤを含む制御信号を、表示制御装置２０に出力する。
【００２８】
図５は、本発明の第１の実施形態における表示制御装置２０の構成を示すブロック図である。図５に示すように、表示制御装置２０は、操作受付部２１と、表示制御部２２と、画像出力部２３と、を備える。
【００２９】
操作受付部２１は、表示装置１０−１〜１０−９からのそれぞれの操作信号を受付ける。表示装置１０−９からの操作信号には、例えば、表示装置１０−９のタッチパネル１１−９から押圧が検出され、表示装置１０−９におけるその押圧が検出された箇所に表示された画像などのオブジェクトに関する識別情報や画像情報が含まれる。操作受付部２１は、受付けた操作信号の内容を、表示制御部２２に出力する。
【００３０】
表示制御部２２は、操作受付部２１、および画像出力部２３を制御するとともに、マルチモニタ３０を構成する複数の表示装置１０を制御する。表示制御部２２は、操作受付部２１からの操作信号の内容を、図示しない記憶領域に記憶する。また、表示制御部２２は、表示装置１０−１〜１０−９からのそれぞれの制御信号を受信する。表示装置１０−９からの制御信号には、例えば、オブジェクトに関する識別情報や、そのオブジェクトを移動させる決定をした旨、および移動先表示装置のモニタＩＤが含まれる。表示制御部２２は、受信した制御信号に基づいて、記憶領域を参照し、受信した制御信号に対応する操作信号の内容を取得する。表示制御部２２は、受信した制御信号の内容、および取得した操作信号の内容に基づいて、オブジェクトを移動させるための制御を行う。具体的には、表示制御部２２は、例えば、表示装置１０−９から、オブジェクトを表示装置１０−１に移動させる決定をした旨の制御信号を受信すると、記憶領域を参照しオブジェクトの画像情報や位置情報を取得する。そして、表示制御部２２は、表示装置１０−１にオブジェクトを表示させるとともに、表示装置１０−９からオブジェクトの表示を消去させる旨を指示する信号を画像出力部２３に出力する。
【００３１】
画像出力部２３は、表示制御部２２からの指示に従い、表示装置１０−１〜１０−９それぞれに表示させる画像の画像信号を、表示装置１０−１〜１０−９それぞれに出力する。画像出力部２３は、画像出力部２３はマルチモニタをサポートしており、１画面の画像を複数の領域に分割し、領域分割された各画像信号を表示装置１０−１〜１０−９それぞれに対して出力する。
【００３２】
図６は、本実施形態において複数の表示装置間でアイコンを移動させる動作を説明するための図である。図６（ａ）は、モニタＩＤが９（ＩＤ＝９）の表示装置１０−９に表示されているオブジェクト５０が、ユーザの指５１によりタッチされた状態を示す。図６（ｂ）は、モニタＩＤが１（ＩＤ＝１）の表示装置１０−１にオブジェクト５０が表示された状態を示す。図６（ａ）、（ｂ）は、ともに図１と同様に縦３列横３列の構成のマルチモニタ３０を示す。また、図６（ａ）、（ｂ）の表示装置１０−１〜１０−９のそれぞれに対して、左から右、上から下の順に、ＩＤ＝１〜ＩＤ＝９の各ＩＤ番号が割り振られていることを示す。
【００３３】
図６（ａ）のように、表示装置１０−９に表示されているオブジェクト５０に対し、タッチ操作が行われると、表示装置１０−９は、そのタッチ操作の操作内容を検出する。例えば、表示装置１０−９は、ユーザの指５１がオブジェクト５０をタッチしている箇所が一点である場合、タッチ数を１と検出する。タッチ数が１であることは、ユーザがオブジェクト５０を移動対象とし、表示装置１０−１に移動させようとしていることを示す。表示装置１０−９は、ユーザの指５１がオブジェクト５０を１点でタッチしている時間が所定時間（例えば、３［秒］）継続した場合、つまり長押しされた場合、オブジェクト５０を移動させることを決定する。
この場合、図６（ｂ）のように、モニタＩＤが９（ＩＤ＝９）の表示装置１０−９に表示されていたオブジェクト５０は、モニタＩＤが１（ＩＤ＝１）の表示装置１０−１に表示される。このとき、オブジェクト５０は、表示装置１０−９に表示されない状態となる。つまり、オブジェクト５０は、表示装置１０−９から表示装置１０−１に移動する。同様に、ユーザが表示装置１０−９に表示されたオブジェクト５０を２点（タッチ数「２」）で長押しすれば、オブジェクト５０は表示装置１０−２に移動し、表示装置１０−９のオブジェクト５０を３点（タッチ数「３」）で長押しすれば、オブジェクト５０は表示装置１０−３に移動する。
【００３４】
図７は、表示システム１において複数の表示装置間でアイコンを移動させる処理の流れを示すシーケンス図である。
まず、図７に示すシーケンス処理を行う前提として、マルチモニタ３０は図１と同様の縦３列横３列の構成であり、マルチモニタ３０を構成する表示装置１０−１〜１０−９のそれぞれに対して、左から右、上から下の順に、ＩＤ＝１〜ＩＤ＝９の各ＩＤ番号が割り振られているものとする。
【００３５】
（ステップＳ１０１）表示装置１０−９は、画像表示部１４−９にオブジェクト５０（図４参照）を含む画像を表示する。
（ステップＳ１０２）表示装置１０−９のタッチパネル１１−９は、表示装置１０−９に表示されるオブジェクト５０がユーザによりタッチ操作されると、そのタッチ操作の内容を検出する。
（ステップＳ１０３）表示装置１０−９の検出部１２−９は、タッチ操作されたオブジェクト５０の表示位置座標を、表示制御装置２０に通知する。また、検出部１２−９は、制御部１８−９にタッチ数を出力する。ここでは、検出部１２−９により検出されたタッチ数が１であるものとする。
（ステップＳ１０４）表示装置１０−９の制御部１８−９は、タッチ数に基づいて移動先表示装置を判定する。ここでは、制御部１８−９により判定された移動先表示装置が、表示装置１０−１であるものとする。
【００３６】
（ステップＳ１０５）表示装置１０−９の制御部１８−９は、通信部１６−９を介して、他の表示装置（表示装置１０−１〜１０−８）に、モニタＩＤを通知するように要求する要求コマンドを送信する。
（ステップＳ１０６）表示装置１０−９の制御部１８−９は、通信部１６−９を介して、他の表示装置（表示装置１０−１〜１０−８）は、自身の通信部１６を介して、要求コマンドに対する応答を行う。他の表示装置からの応答には、他の表示装置のモニタＩＤが含まれる。
（ステップＳ１０７）表示装置１０−９の制御部１８−９は、他の表示装置からの応答に基づいて、マルチモニタ３０を構成する複数の表示装置１０の中に移動先表示装置が存在するか否かを判定する。
（ステップＳ１０８）表示装置１０−９の制御部１８−９は、マルチモニタ３０を構成する複数の表示装置１０の中に移動先表示装置が存在する場合（ステップＳ１０７、ＹＥＳ）、オブジェクト５０がタッチ操作されている時間が所定時間以上継続したか否かを判定する。
【００３７】
（ステップＳ１０９）表示装置１０−９の制御部１８−９は、オブジェクト５０がタッチ操作されている時間が所定時間以上継続した場合（ステップＳ１０８、ＹＥＳ）、表示制御装置２０に、アイコン移動通知（オブジェクト５０を移動させる決定をした旨の通知）、および移動先表示装置のモニタＩＤ（ここでは、ＩＤ＝１）を通知する。
（ステップＳ１１０）表示制御装置２０は、表示装置１０−９に表示させていたオブジェクト５０を表示装置１０−１に表示させる旨を通知する。例えば、表示制御装置２０は、表示装置１０−９に表示させていたオブジェクト５０のアイコン識別情報、および表示位置座標を、表示装置１０−１に通知する。
（ステップＳ１１１）表示装置１０−１は、表示制御装置２０からの表示通知に従い、オブジェクト５０に関する情報を基に、オブジェクト５０を所定位置に表示する。
（ステップＳ１１２）表示制御装置２０は、表示装置１０−９に表示させていたオブジェクト５０を表示装置１０−９から消去させる旨を通知する。
（ステップＳ１１３）表示装置１０−９は、表示制御装置２０からの消去通知に従い、表示させていたオブジェクト５０を消去する。
【００３８】
なお、ステップＳ１０７で、モニタＩＤが１（ＩＤ＝１）の表示装置１０−１が存在していなければ（ステップＳ１０７、ＮＯ）、ステップＳ１０１に処理を戻す。また、ステップＳ１０８で、設定時間以上、押圧が継続されない場合（ステップＳ１０８、ＮＯ）、ステップＳ１０１に処理を戻す。
【００３９】
以上説明したように、本実施形態の表示装置１０においては、表示装置１０はタッチパネル１１を内蔵する表示装置１０であって、タッチパネル１１に対して行われるタッチ操作の内容に基づいて、表示装置１０に表示されるオブジェクト５０がタッチされた数を示すタッチ数を検出する検出部１２と、検出部１２が検出したタッチ数に基づいて、移動対象のオブジェクト５０の移動先である移動先表示装置を決定する制御部１８（「決定部」の一例）と、を備える。これにより、本実施形態の表示装置１０においては、検出部１２が検出したタッチ数に基づいて、制御部１８が、移動先表示装置を決定することができる。つまり、ユーザは、タッチ操作によるタッチ数で、移動先表示装置を指定することができる。従って、ユーザは、複数の表示装置１０を跨ぐようなドラッグ操作を行わなくとも、複数の表示装置１０の間でオブジェクト５０を移動させることができる。つまり、タッチパネル１１を内蔵した複数の表示装置１０−１〜１０−９によりマルチモニタ３０を構成した場合であっても、容易にオブジェクトを移動することができる。
【００４０】
また、本実施形態の表示装置１０においては、タッチ数は、同時にタッチされた箇所の数である。これにより、本実施形態の表示装置１０においては、ユーザは、移動させたい表示装置１０に対応する数でオブジェクト５０を同時にタッチすることで、移動先表示装置を指定することができる。つまり、上述した効果の他、ユーザの直感により容易にオブジェクトを移動することができる。
また、本実施形態の表示装置１０においては、制御部１８は、オブジェクト５０がタッチされた状態が継続した時間に応じて、移動先表示装置にオブジェクト５０を移動するか否かを決定する。これにより、本実施形態の表示装置１０においては、ユーザは、オブジェクト５０を長押しすることで、オブジェクト５０を移動させることができる。つまり、上述した効果の他、ユーザがオブジェクト５０を単にタッチしただけで、ユーザが意図しないにもかかわらずオブジェクト５０が移動してしまう誤動作を抑制することができる。
【００４１】
また、本実施形態の表示装置１０においては、制御部１８は、移動先表示装置が存在するか否かを判定した結果に基づいて、移動先表示装置にオブジェクト５０を移動するか否かを決定する。これにより、本実施形態の表示装置１０においては、制御部１８は、移動先表示装置が存在しない場合には、オブジェクト５０を移動させないようにすることができる。つまり、上述した効果の他、ユーザが、存在しない移動先表示装置を誤って移動先に指定した場合でも、オブジェクト５０が表示元の表示装置から消去されたが、オブジェクト５０が表示先の表示装置が存在しないために表示されない、つまりオブジェクト５０が消えてしまうような、誤動作を抑制することができる。
【００４２】
また、本実施形態の表示装置１０においては、記憶部１７がモニタＩＤ（「表示装置を識別する識別情報」の一例）を記憶し、制御部１８がタッチ数に対応するモニタＩＤに基づいて、移動先表示装置を決定する。これにより、本実施形態の表示装置１０においては、制御部１８は、記憶部１７を参照してタッチ数に対応するモニタＩＤを取得することで、移動先表示装置を決定することができる。つまり、上述した効果の他、記憶部１７を参照するという処理負担の少ない処理により、容易に移動先表示装置を決定することができる。
【００４３】
また、本実施形態の表示システム１においては、表示装置１０が複数台配置されて構成されるマルチモニタ３０と、マルチモニタ３０を構成する複数の表示装置１０それぞれに画像を表示させる表示制御装置２０と、を備え、表示装置１０−１（「マルチモニタを構成する複数の表示装置のうち第１表示装置」の一例）の制御部１８−１は、移動先表示装置である表示装置１０−２（「マルチモニタを構成する複数の表示装置のうち前記第1表示装置と異なる第２表示装置」の一例）にオブジェクト５０を移動すると決定した場合、表示装置１０−２のモニタＩＤ（＝２）（「移動先表示装置である前記第２表示装置の識別情報」の一例）を表示制御装置２０に出力し、表示制御装置２０は、制御部１８−１からのモニタＩＤに基づいて、表示装置１０−２にオブジェクト５０を表示させる。これにより、本実施形態の表示システム１においては、表示装置１０−１が、表示装置１０−１に表示されたオブジェクト５０を移動させる旨を、表示制御装置２０に通知することができる。これにより、表示制御装置２０は、表示装置１０−１からの通知に基づいて、移動先の表示装置１０−２にオブジェクト５０を移動させることができる。つまり、上述した効果の他、表示装置１０−１と１０−２との間で煩雑な通信を行うことなく、表示制御装置２０に通知するという処理負担の少ない処理により、容易にオブジェクトを移動することができる。
【００４４】
（第２の実施形態）
次に第２の実施形態について説明する。図８は、第２の実施形態について説明する図である。図８に示すように、第２の実施形態の表示装置１１０は、タッチパネル１１１と、検出部１１２と、決定部１１８とを備える。
表示装置１１０は、タッチパネル１１を内蔵する表示装置である。検出部１１２は、タッチパネル１１に対して行われるタッチ操作の内容に基づいて、表示装置１１０に表示されるオブジェクト５０がタッチされた数を示すタッチ数を検出する。決定部１１８は、検出部１１２が検出したタッチ数に基づいて、移動対象のオブジェクトの移動先である移動先表示装置を決定する。
これにより、第２の実施形態の表示装置１１０においては、検出部１１２が検出したタッチ数に基づいて、決定部１１８が、移動先表示装置を決定することができる。つまり、ユーザは、タッチ操作によるタッチ数で、移動先表示装置を指定することができる。従って、ユーザは、複数の表示装置１１０を跨ぐようなドラッグ操作を行わなくとも、移動先表示装置を指定することができる。つまり、タッチパネル１１１を内蔵した複数の表示装置１１０によりマルチモニタを構成した場合であっても、容易にオブジェクトを移動することができる。
【００４５】
なお、上述の例では、制御部１８、および決定部１１８は、タッチ数として同時にタッチされた点の数に基づいて、移動先表示装置を決定しているが、これに限定されない。制御部１８、および決定部１１８は、例えば、タッチ数として、ある予め設定された時間内にタッチされた回数に基づいて、移動先表示装置を決定してもよい。制御部１８、および決定部１１８が時間内にタッチされた回数に基づいて、移動先表示装置を決定することにより、例えば、同時にタッチできる数が限定される（例えば、ユーザが片手の指でタッチする場合、タッチできる数が５点までに限定される）場合に、そのタッチ数を超えた数に対応するモニタＩＤをもつ表示装置１０があった場合であっても、その表示装置１０を移動先表示装置として指定することができる。
【００４６】
また、上述の例では、検出部１２は、タッチ数として、オブジェクト５０が表示されている領域内において、押圧が検出された箇所の数を検出しているが、これに限定されない。検出部１２は、例えば、オブジェクト５０が表示されている領域を含む所定の範囲内において押圧が検出された箇所の数を、タッチ数として検出してもよい。これにより、例えば、オブジェクト５０が小さなアイコンであって、表示されている領域が狭く、オブジェクト５０が表示されている領域内において複数の点でタッチ操作できない場合であっても、検出部１２は、所定の範囲内において複数の押圧が検出された場合に、その数をタッチ数として、検出することができる。
【００４７】
また、上述の例では、制御部１８、および決定部１１８が、移動先表示装置を決定し、オブジェクト５０を移動するか否かを決定しているが、制御部１８、および決定部１１８のこの決定部としての機能を、表示制御装置２０に持たせるようにしても良い。また、タッチパネルの操作に対する処理は、表示装置１０−１〜１０−９と表示制御装置２０とで共同して、或いは、適宜分担して処理するようにしてもよい。
【００４８】
なお、表示システム１、表示装置１０の検出部１２と制御部１８、表示制御装置２０、および表示装置１１０の検出部１１１と決定部１１８の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００５０】
１…表示システム、１０，１１０…表示装置、１１、１１１…タッチパネル、１２、１１２…検出部、１６…通信部、１７…記憶部、１８…制御部、１１８…決定部、２０…表示制御装置、３０…マルチモニタ、１７１…モニタＩＤ記憶部、１７２…移動先対応情報記憶部、１７３…移動先判定情報記憶部。
【図１】
2018163575.tif 000003
【図２】
2018163575.tif 000004
【図３】
2018163575.tif 000005
【図４】
2018163575.tif 000006
【図５】
2018163575.tif 000007
【図６】
2018163575.tif 000008
【図７】
2018163575.tif 000009
【図８】
2018163575.tif 000010
【図９】
2018163575.tif 000011